(57)【要約】      （修正有）【課題】国内外の車幅に関する交通法規に適合させつつ、キャンピングカーゴのルーフにさらにタープやオーニングさらにはルーフテントを搭載できるキャンピングカーゴを提供する。【解決手段】軽トラック１０に積載又は牽引されるキャンピングカーゴであって、軽トラック１０に積載又は牽引され、内部に収納を有する函状のカーゴ本体１と、カーゴ本体１の上面１ａにおいて、上面１ａから上方に所定距離だけ離間されて軽トラック１０の走行方向に沿って平行に配置される一対のキャリア部２０と、キャリア部２０に固定されて上方に突設されるオーニング支持部２１とを備え、オーニング支持部２１は、キャリア部２０に接続固定されるキャリア接続部と、キャリア接続部上部に突設され、走行方向に直交する方向におけるキャリア接続部の幅よりも狭い幅を有するオーニング接続部とを有する。【選択図】図１
0003226333.tif 000002
【実用新案登録請求の範囲】
【請求項１】
自動車等の車両に積載又は牽引されるキャンピングカーゴであって、
自動車等の車両に積載又は牽引され、内部に収納を有する函状のカーゴ本体と、
カーゴ本体の上面において、前記上面から上方に所定距離だけ離間されて、前記自動車の走行方向に沿って平行に配置される一対のキャリア部と、
前記キャリア部に固定され上方に突設されるオーニング支持部と
を備え、
前記オーニング支持部は、
前記キャリア部に接続固定されるキャリア接続部と、
前記キャリア接続部上部に突設され、前記走行方向に直交する方向における前記キャリア接続部の幅よりも狭い幅を有するオーニング接続部と
を備え、
前記キャリア接続部の前記走行方向に直交する方向において、前記オーニング接続部のそれぞれの外側面が、そのオーニング接続部下部のキャリア接続部の外側面よりも、内方に位置されている
ことを特徴とするキャンピングカーゴ。
【請求項２】
前記キャンピングカーゴが自動車に車載される形式である場合に、前記カーゴ本体に対して着脱され、前記カーゴ本体を所定の高さに揚重するとともに上下方向に伸縮することによって前記カーゴ本体を上下動させるジャッキ手段を備えることを特徴とする請求項１に記載のキャンピングカーゴ。
【請求項３】
前記収納内部に連通する開口を開閉する扉部と。
前記収納内部から前記開口を通じて、前記カーゴ本体外部に向けて引き出される引出部と
をさらに備えることを特徴とする請求項１又は２に記載のキャンピングカーゴ。
【請求項４】
前記引出部の一つに固定され、前記カーゴ本体内部に配設された貯水タンクから接続された給水手段及び前記カーゴ本体内部に配設された排水タンクに接続された排水手段を有するキッチンシステムをさらに備えることを特徴とする請求項３に記載のキャンピングカーゴ。
【請求項５】
前記カーゴ本体の上面において、前記一対のキャリア部の間に配置され、前記上面に沿って水平移動されて、前記上面外方に向けて進退される太陽光発電パネルをさらに備えることを特徴とする請求項１乃至４のいずれかに記載のキャンピングカーゴ。
【請求項６】
自動車に積載又は牽引されるキャンピングカーゴの上面に取付けられる支持機構であって、
カーゴ本体の上面において、前記上面から上方に所定距離だけ離間されて、前記自動車の走行方向に沿って平行に配置される一対のキャリア部と、
前記キャリア部に固定され上方に突設されるオーニング支持部と
を備え、
前記オーニング支持部は、
前記キャリア部に接続固定されるキャリア接続部と、
前記キャリア接続部上部に突設され、前記走行方向に直交する方向における前記キャリア接続部の幅よりも狭い幅を有するオーニング接続部と
を備え、
前記キャリア接続部の前記走行方向に直交する方向において、前記オーニング接続部のそれぞれの外側面が、そのオーニング接続部下部のキャリア接続部の外側面よりも、内方に位置されている
ことを特徴とするキャンピングカーゴ用支持機構。
【考案の詳細な説明】
【技術分野】
【０００１】
本考案は、トラック等の自動車に積載されたり、キャンピングカーやRV等の自動車に牽引されるキャンピングカーゴ、及びこれに取付けられるキャンピングカーゴ用支持機構に関するものである。
【背景技術】
【０００２】
近年、アウトドアレジャーでは、自動車に必要な具材類を積み込んで、所望の山や川あるいは海岸等のキャンピングスポットまで移動した後、タープやテント等を設営してアウトドアレジャーを楽しむ風潮が一般に広く行われるようになっている。
【０００３】
従来より、このアウトドアレジャーで用いられるキャンピングカーなどには、大量の荷物を積み込む必要があるため、車体の後部にカーゴキャリアを取り付けそのカーゴキャリアに荷物を固定したり、あるいはトレーラーを牽引して荷物を運んでいた（例えば特許文献１）。 例えば、従来のカーゴキャリアは自動車に取り付けられたパイプ状あるいはボード状のものであり、単に荷物を置くための台として利用する。
【０００４】
ところで、自動車のルーフに予め筒状に巻き取ったタープを格納したオーニングを車体のルーフ部に着脱自在に取付けることができる方式のものが開発されて市販されるようになり、ワンボックス型の車種の自動車を中心に使用されるようになっている。 この他に更に持ち運びが容易で簡易なものとして防水帆布の端部を自動車のルーフ部に係止具材を用いて係止し、その他端部をアルミニウムやスティールの支柱によって支持して設営するような形式のカーサイドタープも広く使用されるようになってきている。また、自動車のルーフ上に折り畳んで積載し、ルーフ上において展開させて、ルーフ上に設営するタイプのルーフテントも市販されている。
【先行技術文献】
【特許文献】
【０００５】
【特許文献１】特表２００１−５１０７５８号公報
【考案の概要】
【考案が解決しようとする課題】
【０００６】
しかしながら、従来のキャンピングカーや牽引型のトレーラーは海外製の大型のものが主流であるが、日本国内では車幅が大きすぎるため、これらキャンピングカーやトレーラーのルーフにさらにオーニングやルーフテントを設置することは交通法規上問題があった。
【０００７】
そこで、本考案は上記の点に鑑みなされたものであり、キャンピングに必要な設備を内蔵若しくは運搬する手段を提供するとともに、国内外の車幅に関する交通法規に適合させつつ、キャンピングカーゴのルーフにさらにタープやオーニングさらにはルーフテントを搭載できるキャンピングカーゴを提供することを課題とする。
【課題を解決するための手段】
【０００８】
上記課題を解決するために、本考案は、自動車に積載又は牽引されるキャンピングカーゴであって、自動車に積載又は牽引され、内部に収納を有する函状のカーゴ本体と、カーゴ本体の上面において、上面から上方に所定距離だけ離間されて、自動車の走行方向に沿って平行に配置される一対のキャリア部と、キャリア部に固定され上方に突設されるオーニング支持部とを備え、オーニング支持部は、キャリア部に接続固定されるキャリア接続部と、キャリア接続部上部に突設され、走行方向に直交する方向（車幅方向）におけるキャリア接続部の幅よりも狭い幅を有するオーニング接続部とを備え、前記キャリア接続部の前記走行方向に直交する方向において、前記オーニング接続部のそれぞれの外側面が、そのオーニング接続部下部のキャリア接続部の外側面よりも、内方に位置されていることを特徴とする。
【０００９】
上記考案では、キャンピングカーゴが自動車に車載される形式である場合に、カーゴ本体に対して着脱され、カーゴ本体を所定の高さに揚重するとともに上下方向に伸縮することによってカーゴ本体を上下動させるジャッキ手段を備えることが好ましい。
【００１０】
上記考案では、収納内部に連通する開口を開閉する扉部と。収納内部から前記開口を通じて、前記カーゴ本体外部に向けて引き出される引出部とをさらに備えることが好ましい。
【００１１】
上記考案では、引出部の一つに固定され、カーゴ本体内部に配設された貯水タンクから接続された給水手段及びカーゴ本体内部に配設された排水タンクに接続された排水手段を有するキッチンシステムをさらに備えることが好ましい。
【００１２】
上記考案では、カーゴ本体の上面において、一対のキャリア部の間に配置され、上面に沿って水平移動されて、上面外方に向けて進退される太陽光発電パネルをさらに備えることが好ましい。
【００１３】
本考案は、自動車に積載又は牽引されるキャンピングカーゴの上面に取付けられる支持機構であって、カーゴ本体の上面において、上面から上方に所定距離だけ離間されて、自動車の走行方向に沿って平行に配置される一対のキャリア部と、キャリア部に固定され上方に突設されるオーニング支持部とを備え、オーニング支持部は、キャリア部に接続固定されるキャリア接続部と、キャリア接続部上部に突設され、走行方向に直交する方向におけるキャリア接続部の幅よりも狭い幅を有するオーニング接続部とを有することを特徴とする。
【考案の効果】
【００１４】
本考案によれば、キャンピングに必要な設備を内蔵若しくは運搬する手段を提供するとともに、国内外の車幅に関する交通法規に適合させつつ、キャンピングカーゴのルーフにさらにタープやオーニングさらにはルーフテントを搭載できる。すなわち、本考案によれば、オーニング支持部によってオーニングやタープをカーゴ本体の側部外方に向けて支持するとともに、このオーニング支持部をキャリア接続部を介して自動車のルーフに取付けられたキャリア部に固定する。オーニング接続部のそれぞれの外側面は、車幅方向において、オーニング接続部下部のキャリア接続部の外側面よりも、内方に位置されていることから、テントなどをキャリアに積載しつつ、オーニングをルーフに搭載した状態であっても、全体の幅が拡がってしまうのを防止でき、国内外の車幅に関する交通法規に適合させることができる。
【図面の簡単な説明】
【００１５】
【図１】実施形態に係るキャンピングカーゴ（ルーフテント等未積載）の外観を示す斜視図である。
【図２】実施形態に係るキャンピングカーゴ（ルーフテント等積載状態）の外観を示す斜視図である。
【図３】実施形態に係るキャンピングカーゴ用支持機構を示す図であり、（ａ）は側部外方から視た側面図であり、（ｂ）は上面図であり、（ｃ）は進行方向後方から視た背面図であり、（ｄ）は（ｃ）においてルーフテント等を積載した状態を示す背面図である。
【図４】実施形態に係るキャンピングカーゴにおいて、ルーフテント等を展開した状態の外観を示す斜視図である。
【図５】実施形態に係るキャンピングカーゴにおいて、ルーフテント等を展開した状態の外観を示す斜視図である。
【図６】実施形態に係るキャンピングカーゴにおいて、ルーフテント及び太陽光発電パネル等を展開した状態の外観を示す斜視図である。
【図７】実施形態に係るキャンピングカーゴにおいて、ルーフテント及び太陽光発電パネル等を展開した状態の外観を示す斜視図である。
【図８】実施形態に係るキャンピングカーゴの使用状態を示す外観斜視図である。
【図９】実施形態に係るキャンピングカーゴの使用状態を示す外観斜視図である。
【図１０】実施形態に係るキャンピングカーゴにおいて、太陽光発電パネル等を収納した状態を示す外観斜視図である。
【図１１】実施形態に係るキャンピングカーゴにおいて太陽光発電パネルの使用状態を示す外観斜視図である。
【図１２】実施形態に係るキャンピングカーゴにおいて、ジャッキ手段の使用状態を示す外観斜視図である。
【図１３】変更例に係るキャンピングカーゴを示す側面図である。
【考案を実施するための形態】
【００１６】
以下に添付図面を参照して、本考案に係るキャンピングカーゴ及びキャンピングカーゴ用支持機構の実施形態を詳細に説明する。なお、以下に示す実施の形態は、この考案の技術的思想を具体化するための装置等を例示するものであって、この考案の技術的思想は、各構成部品の材質、形状、構造、配置等を下記のものに特定するものでない。この考案の技術的思想は、実用新案登録請求の範囲において、種々の変更を加えることができる。
【００１７】
（キャンピングカーゴの構成）
ここでは、軽トラック等、荷台を備えた自動車に積載する型式について説明する。図１及び図２に示すように、本実施形態に係るキャンピングカーゴは、軽トラック１０の荷台に積載する函体タイプであり、軽トラック１０の全幅と同じ幅を有している。
【００１８】
キャンピングカーゴは、軽トラック１０に積載され、内部に収納を有する函状のカーゴ本体を基体とし、その上面１ａにオーニング格納部３やルーフテント４を搭載するための支持機構２が取付けられている。この支持機構２によって、図２に示すように、キャンピングカーゴの上面において、オーニング格納部３を側部に取付けたり、上面にルーフテント４を載置できるようになっている。
【００１９】
オーニング格納部３は、図４〜図７に示すようなオーニング３１を折り畳んで収納する函体であり、オーニング格納部３から引き出されたオーニング３１は、軽トラック１０の側方から後方にかけて引き出して展開され、展開された状態のオーニング３１の頂点部分をポール３２で支持して、日よけ・雨よけを構成できるようになっている。なお、このオーニング格納部３としては、一般に市販されているキャンピング用のタープやオーニングを各種取付けることができる。
【００２０】
オーニング格納部３は、図３（ｄ）に示すように、オーニング支持部２１，２１のオーニング接続部２１ａにネジ止めやレバーロック等の固定手段により、軽トラック１０の側部外方に向けて固定支持される。一方、ルーフテント４は、平行なキャリア部２０，２０の間に梯子状に掛け渡されたキャリアの横架材２２上に載置、固定されるようになっている。
【００２１】
また、ルーフテント４は、一般的に市販されている折りたたみ式のテントであり、車両のルーフ上に積載し、ルーフ上に展開して設営できるようになっており、図２にも示すように、収納状態では、回動部４ｂを介して開閉可能に構成された一対の床面材４ａ，４ａの間にテント生地４ｃが折り畳まれて挟み込まれた構成となっている。このルーフテント４は、図４〜図７に示すように、床面材４ａ，４ａを開いて面一の床面を構築した上で、テント内において骨組みとなるフレームを立ち上げて、フレームによって帆布材などで形成されたテント生地を張設してテント４０が設営される。
【００２２】
カーゴ本体１は、図８〜図１１に示すように、内部に収納空間を有しており、その収納空間に通じる開口１１０，１２０，１３０及び１４０が側部及び後部に設けられている。これらの開口にはそれぞれ開閉扉１１，１２，１３及び１４が設けられており、これらの開閉扉を開けることによって開口を通じて内部の収納空間及び収納空間内に設置された各種設備にアクセスできる。
【００２３】
車両左舷の開口１１０からは内部の収納空間やバッテリーボックスや給水タンク７３、引出部５１の下方に設置された排水タンクにアクセスできるようになっている。他方、開口１２０からは小型の収納スペースにアクセスできるようなっている。この小型の収納スペースにはカセットコンロ用のガスボンベ７２が設置されており、このガスボンベは開閉扉１１に取付けられた給湯器７１に接続されている。給湯器７１には、給水タンク７３からの給水ホースが接続されており、この給湯器７１では、給水タンク７からの供給される水を、ガスボンベ７２から供給されるガスによって沸かすようになっており、開閉扉１１を開いた状態で給湯器７１に接続されたシャワーホースによりシャワーを浴びることができる。一方、車両右舷の開口にも前記開口１１０側からもアクセス可能な収納スペースにアクセスできるようになっている。
【００２４】
カーゴ本体１後方の開口１３０側では、扉１３を開くことで開口１３０を通じてカーゴ本体１後方部分全面が開放されるようになっている。この開口１３０には、前記１１０、１２０及び１４０側からアクセスする収納スペースからは隔成された収納棚５が設けられている。この収納棚５は、本実施形態では上下２段に仕切られており、上段側には自由に収納できるようなスペースとなっており、下段側には、当該収納スペース内部から開口１３０を通じて、カーゴ本体１外部に向けて引き出される２つの引出部５１，５２が設けられている。引出部５１には、カーゴ本体１内部に配設された貯水タンクから接続された給水手段である蛇口及びカーゴ本体内部に配設された排水タンクに接続された排水手段を有するキッチンシステムが固設されている。このキッチンシステムは引出部５１が引き出されるのに伴い、外部に向けてスライド移動し、引出部５１が収納内部に押し込まれるのに伴い、収納棚５の下段に収納されるようになっている。
【００２５】
他方、引出部５２は、側方からの観てＬ字型の形状をしており、内部にクーラボックスや冷蔵庫５３が収納できるようになっている。この冷蔵庫５３は、開閉扉５３ａを備えており、上面が開閉するようになっている。したがって、引出部５２を引き出して、開閉扉５３ａを上方へ開くことにより、庫内の食材などを上方から取り出せるようになっている。この冷蔵庫５３も上述したキッチンシステムと同様に、引出部５２が引き出されるのに伴って外部に向けてスライド移動し、引出部５２が収納内部に押し込まれるのに伴って収納棚５の下段に収納されるようになっている。
【００２６】
（支持機構２）
上述した支持機構２は、カーゴ１上面１ａから上方に所定距離だけ離間されて自動車の走行方向（図１中に矢印で図示）に沿って平行に配置される一対のキャリア部２０，２０と、キャリア部２０，２０に固定され上方に突設されるオーニング支持部２１，２１とを備えている。
【００２７】
キャリア部２０，２０は、アルミやスチール等の金属、硬化プラスチックとうによって形成された水平な部材であり、図３（ａ）及び（ｂ）  に示すように、取付具２０ａを介して上面１ａによって、上下方向に数センチ離間されて固定されている。このキャリア部２０，２０は軽トラック１０の走行方向に沿って平行に相互に離間されて配置されいる。
【００２８】
オーニング支持部２１，２１は、図３（ｃ）及び（ｄ）に示すような、キャリア部２０，２０に接続固定されるキャリア接続部２１ｂ，２１ｂと、キャリア接続部２１ｂの上部に突設されるオーニング接続部２１ａとを有している。オーニング接続部２１ａは、走行方向に直交する方向（図１中に示す車幅方向）におけるキャリア接続部２１ｂの幅よりも狭い幅を有している。キャリア接続部２１ｂ，２１ｂの走行方向に直交する方向、すなわち車幅方向において、オーニング接続部２１ａ，２１ａのそれぞれの外側面２１０ａ，２１０ｂａ、各オーニング接続部２１ａ，２１ａ下部のキャリア接続部２１ｂ，２１ｂの外側面２１０ｂ，２１０ｂよりも、内方に位置されている。詳述すると、キャリア接続部２１ｂは、その外側面２１０ｂがキャリア部２０，２０の内方側面に溶接やネジ止めによって固定されており、一対のキャリア部２０，２０それぞれの内側に位置されるように固定されている。このキャリア接続部２１ｂ，２１ｂの上面には走行方向からみてＬ字形をなしたオーニング接続部２１ａが固設されており、その外側面２１０ａにオーニング格納部３が、車幅方向外方に位置するように固定されており、いる。
【００２９】
（太陽光発電パネル）
本実施形態では、図１０及び図１１に示すように、カーゴ本体１の上面１ａにおいて、一対のキャリア部２０，２０の間に配置され、上面に沿って水平移動されて、上面外方に向けて進退される太陽光発電パネル６を備えている。
この太陽光発電パネル６は、カーゴ本体１の上面１ａに、走行方向に平行な一対のレール６１，６１によって前後にスライド移動可能に支持されており、図１０に示すような収納時にはレール６１，６１に沿って後退されることによりキャリア部２０，２０の間に位置されるようになり、ルーフテント４を積載している場合には、ルーフテント４の下方に収納される形となる。また、図１１に示すように、太陽光発電パネル６をレール６１，６１に沿って前進させることにより、軽トラック１０の運転席上部からその前方まで迫り出され、例えば、図６及び図７に示すようなルーフテント４を展開している場合であっても、ルーフテント４の外方に露出される形となる。
【００３０】
（ジャッキ８）
さらに、本実施形態では、図１２に示すように、キャンピングカーゴが自動車に車載される形式である場合に、カーゴ本体１に対して着脱され、カーゴ本体１を所定の高さに揚重するとともに上下方向に伸縮することによってカーゴ本体を上下動させるジャッキ８，８，８，８が着脱自在に設けられている。
【００３１】
ジャッキ８は、地面に設置される基礎部８５に支持された下部支持体８４と、この下部支持体８４に摺動可能に嵌合されて接続される上部支持体８２と、上部支持体８２とカーゴ本体１とを着脱自在に接続するための接続部８１とから構成される。上部支持体８２と下部支持体８４とは摺動可能に嵌合されることにより、全体として伸縮するように構成されており、クランクハンドル８３を回転させることによって伸縮されて、カーゴ本体１を揚重できるようになっている。これらのジャッキ８，８，８，８をそれぞれの接続部８１を介して、ネジ止めや引っ掛けるなどの係合手段によりカーゴ本体１に接続し、ジャッキ８，８，８，８を立設させた状態で、それぞれのクランクハンドル８３を回転させてジャッキ８，８，８，８を伸張させることにより、カーゴ本体１の高さ位置を上昇させることができる。この状態において、カーゴ本体１の下方に軽トラック１０の荷台部分を挿入して位置決めを行い、クランクハンドル８３を回転させてジャッキ短縮させることにより、カーゴ本体１を下降させて、軽トラック１０の荷台上に積載する。その後には、ジャッキ８，８，８，８をカーゴ本体１から取り外すことができる。
【００３２】
（変更例）
なお、以上説明した各実施形態の説明は、本考案の一例である。このため、本考案は上述した実施形態に限定されることなく、本考案に係る技術的思想を逸脱しない範囲であれば、設計等に応じて種々の変更が可能である。例えば、本実施形態では、カーゴ本体１について、軽トラック等の自動車車両に車載する型式を例に説明したが、図１３に示すように、カーゴ本体１を牽引式のトレーラーなどの車両に積載するか、或いはカーゴ本体１自体に車輪９２を設けるなどして、連結器９１で普通自動車９０等の車両に連結し、車両により牽引する型式としてもよい。
【００３３】
（作用・効果）
以上説明したように、本実施形態によれば、キャンピングに必要な設備を内蔵若しくは運搬する手段を提供できる。また、国内外の車幅に関する交通法規に適合させつつ、キャンピングカーゴのルーフである上面１ａにさらにタープやオーニング格納部３さらにはルーフテント４などの設備の搭載が可能となる。すなわち、本実施形態によれば、オーニング支持部２１，２１によってオーニングやタープをカーゴ本体１の側部外方に向けて支持するとともに、このオーニング支持部２１，２１をキャリア接続部２１ｂ，２１ｂを介して軽トラック１０のルーフに取付けられたキャリア部２０，２０に固定する。オーニング接続部２１ａのそれぞれの外側面２１０ａは、車幅方向において、オーニング接続部２１ａ下部のキャリア接続部２１ｂの外側面２１０ｂよりも、内方に位置されていることから、テントなどをキャリアに積載しつつ、オーニングをルーフに搭載した状態であっても、全体の幅が拡がってしまうのを防止でき、国内外の車幅に関する交通法規に適合させることができる。
【符号の説明】
【００３４】
１…カーゴ本体
１ａ…上面
２…支持機構
３…オーニング格納部
４…ルーフテント
４ａ，４ａ…床面材
４ｂ…回動部
４ｃ…テント生地
５…収納棚
７…給水タンク
１０…軽トラック
１１，１２，１３，１４…開閉扉
１３…扉
２０，２０…キャリア部
２０ａ…取付具
２１，２１…オーニング支持部
２１ａ…オーニング接続部
２１ｂ，２１ｂ…キャリア接続部
２２…横架材
３１…オーニング
３２…ポール
４０…テント
５１，５２…引出部
５３…冷蔵庫
５３ａ…開閉扉
７１…給湯器
７２…ガスボンベ
７３…給水タンク
９０…普通自動車
９１…連結器
９２…車輪
１１０，１２０，１３０，１４０…開口
【図１】
0003226333.tif 000003
【図２】
0003226333.tif 000004
【図３】
0003226333.tif 000005
【図４】
0003226333.tif 000006
【図５】
0003226333.tif 000007
【図６】
0003226333.tif 000008
【図７】
0003226333.tif 000009
【図８】
0003226333.tif 000010
【図９】
0003226333.tif 000011
【図１０】
0003226333.tif 000012
【図１１】
0003226333.tif 000013
【図１２】
0003226333.tif 000014
【図１３】
0003226333.tif 000015
【手続補正書】
【提出日】令和2年3月6日(2020.3.6)
【手続補正１】
【補正対象書類名】実用新案登録請求の範囲
【補正対象項目名】全文
【補正方法】変更
【補正の内容】
【実用新案登録請求の範囲】
【請求項１】
自動車等の車両に積載又は牽引されるキャンピングカーゴであって、
自動車等の車両に積載又は牽引され、内部に収納を有する函状のカーゴ本体と、
カーゴ本体の上面において、前記上面から上方に所定距離だけ離間されて、前記自動車の走行方向に沿って平行に配置される一対のキャリア部と、
前記キャリア部に固定され上方に突設されるオーニング支持部と
を備え、
前記オーニング支持部は、
前記キャリア部に接続固定されるキャリア接続部と、
前記キャリア接続部上部に突設され、前記走行方向に直交する方向における前記キャリア接続部の幅よりも狭い幅を有するオーニング接続部と
を備え、
前記キャリア接続部の前記走行方向に直交する方向において、前記オーニング接続部のそれぞれの外側面が、そのオーニング接続部下部のキャリア接続部の外側面よりも、内方に位置されている
ことを特徴とするキャンピングカーゴ。
【請求項２】
前記キャンピングカーゴが自動車に車載される形式である場合に、前記カーゴ本体に対して着脱され、前記カーゴ本体を所定の高さに揚重するとともに上下方向に伸縮することによって前記カーゴ本体を上下動させるジャッキ手段を備えることを特徴とする請求項１に記載のキャンピングカーゴ。
【請求項３】
前記収納内部に連通する開口を開閉する扉部と。
前記収納内部から前記開口を通じて、前記カーゴ本体外部に向けて引き出される引出部と
をさらに備えることを特徴とする請求項１又は２に記載のキャンピングカーゴ。
【請求項４】
前記引出部の一つに固定され、前記カーゴ本体内部に配設された貯水タンクから接続された給水手段及び前記カーゴ本体内部に配設された排水タンクに接続された排水手段を有するキッチンシステムをさらに備えることを特徴とする請求項３に記載のキャンピングカーゴ。
【請求項５】
前記カーゴ本体の上面において、前記一対のキャリア部の間に配置され、前記上面に沿って水平移動されて、前記上面外方に向けて進退される太陽光発電パネルをさらに備えることを特徴とする請求項１乃至４のいずれかに記載のキャンピングカーゴ。
【請求項６】
自動車に積載又は牽引されるキャンピングカーゴの上面に取付けられる支持機構体であって、
カーゴ本体の上面において、前記上面から上方に所定距離だけ離間されて、前記自動車の走行方向に沿って平行に配置される一対のキャリア部と、
前記キャリア部に固定され上方に突設されるオーニング支持部と
を備え、
前記オーニング支持部は、
前記キャリア部に接続固定されるキャリア接続部と、
前記キャリア接続部上部に突設され、前記走行方向に直交する方向における前記キャリア接続部の幅よりも狭い幅を有するオーニング接続部と
を備え、
前記キャリア接続部の前記走行方向に直交する方向において、前記オーニング接続部のそれぞれの外側面が、そのオーニング接続部下部のキャリア接続部の外側面よりも、内方に位置されている
ことを特徴とするキャンピングカーゴ用支持機構体。
【手続補正２】
【補正対象書類名】明細書
【補正対象項目名】０００１
【補正方法】変更
【補正の内容】
【０００１】
本考案は、トラック等の自動車に積載されたり、キャンピングカーやRV等の自動車に牽引されるキャンピングカーゴ、及びこれに取付けられるキャンピングカーゴ用支持機構体に関するものである。
【手続補正３】
【補正対象書類名】明細書
【補正対象項目名】００１３
【補正方法】変更
【補正の内容】
【００１３】
本考案は、自動車に積載又は牽引されるキャンピングカーゴの上面に取付けられる支持機構体であって、カーゴ本体の上面において、上面から上方に所定距離だけ離間されて、自動車の走行方向に沿って平行に配置される一対のキャリア部と、キャリア部に固定され上方に突設されるオーニング支持部とを備え、オーニング支持部は、キャリア部に接続固定されるキャリア接続部と、キャリア接続部上部に突設され、走行方向に直交する方向におけるキャリア接続部の幅よりも狭い幅を有するオーニング接続部とを有することを特徴とする。